【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
装置の長手方向の一方の端部に設けられた第１側板と、他方の端部に設けられた第２側板と、を有する装置のフレームと、
前記第１側板と前記第２側板の間に配置されている筒状の回転体と、
前記回転体の内面に接触するヒータと、
前記ヒータを保持するホルダであって、前記回転体の内部空間に設けられており、前記長手方向において、前記第１側板と前記第２側板間の距離より長いホルダと、
を有し、前記回転体に接触させつつ記録材を搬送し、記録材に形成された画像を前記ヒータの熱で加熱する像加熱装置において、
前記ホルダは、前記長手方向における前記ホルダの位置を決める位置決め部を有し、前記位置決め部は、前記長手方向において、前記第２側板に対応する位置には設けられておらず前記第１側板に対応する位置に設けられていることを特徴とする像加熱装置。
【請求項２】
前記装置は更に、前記回転体が前記第１側板に向って移動した時に前記回転体の前記第１側板側の端面が接触する部材であって、前記回転体の前記長手方向への移動を規制する第１規制部材と、前記回転体が前記第２側板に向って移動した時に前記回転体の前記第２側板側の端面が接触する部材であって、前記回転体の前記長手方向への移動を規制する第２規制部材と、を有し、
前記第１規制部材は前記第１側板に嵌合しており、前記第２規制部材は前記第２側板に嵌合していることを特徴とする請求項１に記載の像加熱装置。
【請求項３】
前記位置決め部は、前記第１側板の前記長手方向における内側面に対向する部分と、前記第１側板の前記長手方向における外側面に対向する部分と、を有することを特徴とする請求項１又は請求項２に記載の像加熱装置。
【請求項４】
前記位置決め部は、前記長手方向において、前記第１規制部材の前記回転体の端面が接触する面よりも前記第１側板の側に凹んでいることを特徴とする請求項２に記載の像加熱装置。
【請求項５】
前記装置は更に、前記回転体の内部空間に設けられており、前記長手方向における長さが前記第１側板と前記第２側板間の距離より長く前記ホルダを支える金属製のステーを有し、
前記長手方向における前記ステーの位置は、前記ホルダによって決まっていることを特徴とする請求項１乃至請求項４の何れか一項に記載の像加熱装置。
【請求項６】
前記ホルダの前記ステーを位置決めする部分は、前記第２側板よりも前記第１側板に近い位置に設けられていることを特徴とする請求項５に記載の像加熱装置。
【請求項７】
前記装置は更に、前記回転体を介して前記ヒータと共に記録材を挟持搬送するローラを有し、前記ローラにはハスバ歯車が取り付けられており、前記ハスバ歯車が回転することによって生じる力の方向は、前記第２側板から前記第１側板に向う方向であることを特徴とする請求項１乃至請求項６の何れか一項に記載の像加熱装置。
【請求項８】
前記回転体はフィルムであることを特徴とする請求項１乃至請求項７の何れか一項に記載の像加熱装置。
【請求項９】
装置の長手方向の一方の端部に設けられた第１側板と、他方の端部に設けられた第２側板と、を有する装置のフレームと、
前記第１側板と前記第２側板の間に配置されている筒状の回転体と、
前記回転体の内面に接触するヒータと、
前記ヒータを保持するホルダであって、前記回転体の内部空間に設けられており、前記長手方向において、前記第１側板と前記第２側板間の距離より長いホルダと、
を有し、前記回転体に接触させつつ記録材を搬送し、記録材に形成された画像を前記ヒータの熱で加熱する像加熱装置において、
前記ホルダは、前記第１の側板に対して前記長手方向における前記ホルダの位置及び記録材搬送方向における前記ホルダの位置を決める第１の位置決め部と、前記第２の側板に対して記録材搬送方向における前記ホルダの位置を決める第２の位置決め部と、を有し、前記第２の位置決め部には、前記長手方向における前記ホルダの位置を決める機能がないことを特徴とする像加熱装置。
【請求項１０】
前記装置は更に、前記回転体が前記第１側板に向って移動した時に前記回転体の前記第１側板側の端面が接触する部材であって、前記回転体の前記長手方向への移動を規制する第１規制部材と、前記回転体が前記第２側板に向って移動した時に前記回転体の前記第２側板側の端面が接触する部材であって、前記回転体の前記長手方向への移動を規制する第２規制部材と、を有し、
前記第１規制部材は前記第１側板に嵌合しており、前記第２規制部材は前記第２側板に嵌合していることを特徴とする請求項９に記載の像加熱装置。
【請求項１１】
前記第１の位置決め部は、前記第１側板の前記長手方向における内側面に対向する部分と、前記第１側板の前記長手方向における外側面に対向する部分と、を有することを特徴とする請求項９又は請求項１０に記載の像加熱装置。
【請求項１２】
前記第１の位置決め部は、前記長手方向において、前記第１規制部材の前記回転体の端面が接触する面よりも前記第１側板の側に凹んでいることを特徴とする請求項１０に記載の像加熱装置。
【請求項１３】
前記装置は更に、前記回転体の内部空間に設けられており、前記長手方向における長さが前記第１側板と前記第２側板間の距離より長く前記ホルダを支える金属製のステーを有し、
前記長手方向における前記ステーの位置は、前記ホルダによって決まっていることを特徴とする請求項９乃至請求項１２の何れか一項に記載の像加熱装置。
【請求項１４】
前記ホルダの前記ステーを位置決めする部分は、前記第２側板よりも前記第１側板に近い位置に設けられていることを特徴とする請求項１３に記載の像加熱装置。
【請求項１５】
前記装置は更に、前記回転体を介して前記ヒータと共に記録材を挟持搬送するローラを有し、前記ローラにはハスバ歯車が取り付けられており、前記ハスバ歯車が回転することによって生じる力の方向は、前記第２側板から前記第１側板に向う方向であることを特徴とする請求項９乃至請求項１４の何れか一項に記載の像加熱装置。
【請求項１６】
前記回転体はフィルムであることを特徴とする請求項９乃至請求項１５の何れか一項に記載の像加熱装置。
【手続補正２】
【補正対象書類名】明細書
【補正対象項目名】００２０
【補正方法】変更
【補正の内容】
【００２０】
上述の課題を解決するために、本発明に係る像加熱装置は、
装置の長手方向の一方の端部に設けられた第１側板と、他方の端部に設けられた第２側板と、を有する装置のフレームと、
前記第１側板と前記第２側板の間に配置されている筒状の回転体と、
前記回転体の内面に接触するヒータと、
前記ヒータを保持するホルダであって、前記回転体の内部空間に設けられており、前記長手方向において、前記第１側板と前記第２側板間の距離より長いホルダと、
を有し、前記回転体に接触させつつ記録材を搬送し、記録材に形成された画像を前記ヒータの熱で加熱する像加熱装置において、
前記ホルダは、前記長手方向における前記ホルダの位置を決める位置決め部を有し、前記位置決め部は、前記長手方向において、前記第２側板に対応する位置には設けられておらず前記第１側板に対応する位置に設けられていることを特徴とする。
また本発明に係る像加熱装置は、
装置の長手方向の一方の端部に設けられた第１側板と、他方の端部に設けられた第２側板と、を有する装置のフレームと、
前記第１側板と前記第２側板の間に配置されている筒状の回転体と、
前記回転体の内面に接触するヒータと、
前記ヒータを保持するホルダであって、前記回転体の内部空間に設けられており、前記長手方向において、前記第１側板と前記第２側板間の距離より長いホルダと、
を有し、前記回転体に接触させつつ記録材を搬送し、記録材に形成された画像を前記ヒータの熱で加熱する像加熱装置において、
前記ホルダは、前記第１の側板に対して前記長手方向における前記ホルダの位置及び記録材搬送方向における前記ホルダの位置を決める第１の位置決め部と、前記第２の側板に対して記録材搬送方向における前記ホルダの位置を決める第２の位置決め部と、を有し、前記第２の位置決め部には、前記長手方向における前記ホルダの位置を決める機能がないことを特徴とする。